(57)【特許請求の範囲】
【請求項１】
構造躯体の周壁の内周には凹溝が形成され、
平板状の床下地材の周縁部を上記凹溝に入り込ませるとともに、上記平板状の床下地材を、床基礎に接触させないように床基礎から浮かせた状態で、緩衝体を介在させて構造躯体の周壁に支持させ、
上記周壁に壁面パネルを設け、上記床下地材の上面側に床仕上材を設け、該壁面パネルの下端部と、上記床仕上材の上面との間に緩衝材を介設させて、上記壁面パネルと上記仕上材との間を塞ぐようにしたことを特徴とする防振・防音床下地構造。
【請求項２】
請求項１において、
上記床下地材は、その周縁部が上記緩衝体によって上記周壁の下部に連結されて、略水平に保持されている、防振・防音床下地構造。
【請求項３】
請求項１において、
上記床下地材は、その周縁部の上面が上記緩衝体によって上記周壁の下部に懸吊されて、略水平に保持されている、防振・防音床下地構造。
【発明の詳細な説明】
【技術分野】
【０００１】
本発明は、戸建住宅やアパート、マンションなどの集合住宅などの建築構造物に好適に使用される防振・防音床下地構造に関するものである。
【背景技術】
【０００２】
戸建住宅やマンションなどの複数階建ての建物において、居室内や廊下で、飛び跳ね、走行、歩行、物の落下などによっての床に衝撃が加わると、その振動や衝撃音は建物の構造躯体を通じて下方に伝わるため、直下階の住人が騒音の被害を受ける可能性がある。
【０００３】
従来では、このような床に発生する衝撃の下階への伝播を抑制するために、上層階の床下では、床下地材を直接、コンクリートなどの躯体に張らず、複数の支持脚を介して設置することが実施されている。また、支持脚と床下地材の接合部分に弾性体を介設させて衝撃を緩和させるようにした床下地構造も提案されている。たとえば特許文献１には、床材を直接載置する根太と床梁との間に弾性体を介在させた床構造が開示されている。
【特許文献１】特開２００１−１８２２１１号公報
【発明の開示】
【発明が解決しようとする課題】
【０００４】
しかしながら、この種の支持脚で床を支持する構造では、床材を支持する複数の支持脚が構造躯体に接触しているため、複数の支持脚を介した振動や音の固体伝播を完全に遮断することはできず、振動、騒音の下階への伝播を解消するための根本的な解決策とはなっていなかった。
【０００５】
本発明は、このような事情を考慮して提案されたもので、その目的は、床に発生する衝撃が下階や他室に伝わることを遮断できる防振・防音床下地構造を提供することにある。
【課題を解決するための手段】
【０００６】
上記目的を達成するために、請求項１に記載の防振・防音床下地構造は、構造躯体の周壁の内周には凹溝が形成され、平板状の床下地材の周縁部を上記凹溝に入り込ませるとともに、平板状の床下地材を、床基礎に接触させないように床基礎から浮かせた状態で、緩衝体を介在させて構造躯体の周壁に支持させ、周壁に壁面パネルを設け、床下地材の上面側に床仕上材を設け、該壁面パネルの下端部と、床仕上材の上面との間に緩衝材を介設させて、壁面パネルと上記仕上材との間を塞ぐようにしたことを特徴とする。
【０００７】
請求項２に記載の防振・防音床下地構造では、床下地材は、その周縁部が緩衝体によって周壁の下部に連結されて、略水平に保持されている。
【０００８】
請求項３に記載の防振・防音床下地構造では、床下地材は、その周縁部の上面が緩衝体によって周壁の下部に懸吊されて、略水平に保持されている。
【発明の効果】
【０００９】
請求項１に記載の防振・防音床下地構造では、床下地材が緩衝体を介して周壁に支持される構造であり、床下地材から床基礎に振動を伝達する固体がないため、床に発生した振動は、床の下方には固体を通じて伝播されない。また振動は周壁側へ逃がす構造であるが、緩衝体により振動が吸収されるため、周壁への振動伝播はほとんど遮断される。これによって、下階で騒音が発生するおそれはほとんどなく、他室や上階に振動や音が伝わる可能性もきわめて低い。
【００１０】
請求項２に記載の防振・防音床下地構造では、床下地材が周壁に連結されて略水平に保持される構造であるため、床下地材をトランポリン状に簡易に施工し、設置できる。また、周設された緩衝体を床仕上材で隠すことができる。さらに、床下地材を側方から張設するように支持する構成であるため、横揺れが起こりにくい。
【００１１】
請求項３に記載の防振・防音床下地構造では、床下地材が周壁に懸吊支持されて略水平に保持される構造であるため、緩衝体に対して、緩衝体の伸張、収縮方向以外からの力が加わりにくく、そのため、連結支持にくらべて緩衝体の劣化を遅らせることができ、また連結支持に使用する緩衝体よりも強度の低いものを使用できる。
【発明を実施するための最良の形態】
【００１２】
以下に、本発明の２つの実施形態について、添付図面を参照しながら説明する。
【００１３】
図１は、本発明の第１の実施形態に係る防振・防音床下地構造の概略縦断面図であり、図２は、同床下地構造の概略平面図である。図例ではマンションなどの複数階建ての上層階（第２階以上の階。以下、当階という。）の居室を示しており、図１では説明の都合上、当階の直下階も図示している。
【００１４】
床下地材１０は、鉄などの金属板または鉄筋コンクリートなどのコンクリート板などの剛性の高い平板で構成されており、居室の周壁１で囲まれた平面よりも平面寸法が小さく、５〜２０ｍｍ程度の厚さ寸法のものが使用される。
【００１５】
床下地材１０の周縁部１０ａの側端には、周壁１との間の緩衝体１１としてスプリングが周設され、それらのスプリング１１の他端が、鉄筋コンクリートなどで製された構造躯体である周壁１、あるいは構造躯体に固定された周壁１に固定されて、床下地材１０がスプリング１１とともに略水平に保持されている。図例のものは、床下地材１０の周縁部に、５００ｍｍピッチでスプリング１１を配設している。なお、スプリング１１の床下地材１０および周壁１へ固定する際はアンカーボルト１３などが使用できる。
【００１６】
また床仕上材１２は、床下地材１０よりも平面寸法をやや大とし、周設されたスプリング１１がほとんど表面に露出されないようにして、床下地材１０の上に設置され、接着剤などで固着されることが望ましい。なお、床仕上材１２の側端は周壁１と固着させずに、壁面と摺動できる程度に設置することが望ましい。
【００１７】
このように、居室内の床下地材１は、トランポリンのごとく、床基礎２（下方の構造躯体）から浮いた状態に、周壁１のみによって連結され、略水平な状態に支持される。
【００１８】
このような床構造であるため、居室内で子供が飛び跳ねたり、走ったりして床が衝撃を受けても、その振動は周壁１方向へ伝播するが、緩衝体１１が介在して衝撃を吸収できる構造としているため、振動は周壁１にはほとんど伝わらず、下方の構造躯体２にも伝わらない。
【００１９】
また、床下地材１０が床基礎２上に支持脚などを介して支持される構造ではないため、スプリング１１以外の部材による固体伝播はなく、床振動の伝播はスプリング１１によってほとんど吸収、遮断され、下階で騒音が発生するおそれはほとんどない。もちろん、他室や当階の上階に振動や音が伝わる可能性もきわめて低い。また、床下地材１０を側方から張設するように支持する構造であるため、横揺れに強く、床下地材１０の揺れは起こりにくい。
【００２０】
本実施形態では、緩衝体１１としてスプリングを例示したが、ショックアブソーバーを使用してもよい。また、劣化の進行の遅いゴムを使用してもよい。
【００２１】
ついで、第２の実施形態について説明する。
【００２２】
図３（ａ）は、本発明の第２の実施形態に係る床下地構造の概略縦断面図であり、（ｂ）は（ａ）のＸ部分の拡大図である。なお、平面図は省略するが、緩衝体１１の設置ピッチ、設置数は第１の実施形態のものと同程度でよい。
【００２３】
このものは、周壁１の全内周に水平方向に走る凹溝１ａが形成されており、床下地材１０の周縁部１０ａがその凹溝１ａに入り込んでおり、床下地材１０は、凹溝１ａの上壁１ａａに固定されたスプリングなどの緩衝体１１を介して、周縁部１０ａの上面が懸吊されて、略水平な状態に支持されている。そして、床下地材１０の上には床仕上材１２が固着される。なお、スプリング１１は、床下地材１０、周壁１に対して、アンカーボルト１３で固定することが望ましい。
【００２４】
なお、床下地材１０および床仕上材１２の素材は第１の実施形態と同様であるが、それらの平面寸法は、凹溝１ａを考慮して、周壁１で囲まれる平面の寸法よりもやや大きいものが使用される。
【００２５】
また、図３に示すように、床仕上材１２を設置しても凹溝１ａの床仕上材１２の上側に隙間ができて凹溝１ａ内のスプリング１１が露出される場合は、壁面パネル３などでこれを隠すことが好ましい。この壁面パネル３の下端部と、床仕上材１２の周縁部１０ａの上面との間に緩衝材４を介設させて、壁面パネル３と床仕上材１２との間の隙間が露出されないようにすることが望ましい。なお、この緩衝材４は幅木として代用できる。
【００２６】
このような床構造によれば、第１の実施形態と同様の効果が得られるとともに、懸吊支持であるため、スプリング１１に対して、スプリング１１の伸張、収縮方向以外からの力が加わりにくく、そのため、第１の実施形態とくらべてスプリング１１の劣化を遅らせることができ、また第１の実施形態のものよりも強度の低いスプリングを使用できる。
【００２７】
また、床下地材１０の安定性を高めるために、床下地材１０の周縁部１０ａの裏側を他の緩衝手段を介して凹溝１ａの下壁１ａｂと連結させるようにしてもよい。つまり、床下地材１０を凹溝１ａの下壁１ａｂに設けた他の緩衝手段に載せ置くようにしてもよい。他の緩衝手段として、建築用の免震、制震用の種々の緩衝手段を使用してもよい。
【００２８】
さらに、床下地材１０の緩衝体１１による支持は、第１の実施形態で示した張設支持と、第２の実施形態で示した懸吊支持と、載置支持とを種々組み合わせてなされてもよい。たとえば、張設支持用にショックアブソーバー、懸吊支持用にスプリング、載置支持用にゴムを組み合わせ使用することもできる。たとえば、図４に示すように、床下地材１０の懸吊支持はショックアブソーバー１１Ａにより行わせ、載置支持は圧縮スプリング１１Ｂにより行わせることができる。
【００２９】
また図４の例では、壁面パネル３の下端部に、下方向に付勢されスライド可能に取り付けた幅木５を設けて、壁面パネル３と床仕上材１２との間の隙間を形成しないようにしている。そのため、床仕上材１２の若干の上下動があっても、居室内では隙間が露出されることはない。
【００３０】
また、揺れに強い第１の実施形態の支持構造をベースとして、懸吊支持、載置支持を付加調整することで、防音・防振、制震などあらゆる効果を最適な状態に設定にすることができる。
【００３１】
以上の２つの実施形態では、床下地材１０が金属板あるいはコンクリート板などの平板材で構成されたものを示したが、パーティクルボードなどの木質板や樹脂板などの平板材を使用してもよく、強度を増すために、平板材の裏側に根太などの補強材を格子状に取り付けてもよい。
【図面の簡単な説明】
【００３２】
【図１】本発明の第１の実施形態に係る防振・防音床下地構造の概略縦断面図である。
【図２】同床下地構造の概略平面図である。
【図３】（ａ）は本発明の第２の実施形態に係る防振・防音床下地構造の概略縦断面図、（ｂ）は（ａ）のＸ部分の拡大図である。
【図４】本発明の第２の実施形態に係る床下地構造の他例を示す部分縦断面図である。
【符号の説明】
【００３３】
１０      床下地材
１０ａ      周縁部
１１      スプリング（緩衝体）
１１Ａ      ショックアブソーバー（緩衝体）
１１Ｂ      スプリング（緩衝体）
１２      床仕上材
１３      アンカーボルト
１      周壁
１ａ      凹溝
１ａａ      上壁
１ａｂ      下壁
２      床基礎（下方の構造躯体）
３      壁面パネル
４      緩衝材
５      幅木
【図１】
0005114242.tif 000002
【図２】
0005114242.tif 000003
【図３】
0005114242.tif 000004
【図４】
0005114242.tif 000005